(57)【要約】【課題】携帯端末の利用者の利便性を向上させる。【解決手段】情報処理システム１０では、携帯端末１００に保存されたブックマーク情報を取得し、取得されたブックマーク情報の中から処理対象の情報を選択し、選択されたブックマーク情報に含まれるＵＲＬに基づいてネットワーク４００からデータを取得し、取得されたデータの少なくとも一部を印刷した印刷結果を利用者に提供する。【選択図】図１
2010134795.tif 000002
【特許請求の範囲】
【請求項１】
特定情報によって特定され情報提供装置により提供される情報を通信手段を介して参照する参照手段と、前記参照手段により参照した情報のうち利用者により指定された情報の前記特定情報を含む利用者指定情報を保存する保存手段と、を含む利用者装置と、
前記保存手段に保存された利用者指定情報を取得する利用者指定情報取得手段と、
前記利用者指定情報取得手段により取得された利用者指定情報の中から処理対象の情報を予め定められた基準で選択する選択手段と、
前記選択手段により選択された利用者指定情報に含まれる前記特定情報により特定される情報の少なくとも一部を処理した処理結果を、前記利用者に提供する提供手段と、を含む
ことを特徴とする情報処理システム。
【請求項２】
前記選択手段により選択された利用者指定情報に含まれる前記特定情報により特定される情報を取得する情報取得手段と、
前記選択手段により選択された処理対象の情報の一覧を、前記情報取得手段により取得された情報に基づいて前記利用者に提示する提示手段と、
前記提示手段により提示された処理対象の情報の一覧の中から前記利用者により選択された情報を処理する処理手段と、をさらに含み、
前記提供手段は、前記処理手段による処理結果を前記利用者に提供する
ことを特徴とする請求項１に記載の情報処理システム。
【請求項３】
利用者装置の利用者を識別する識別情報毎に、当該利用者装置から取得された利用者指定情報の履歴を管理する管理手段をさらに含み、
前記選択手段は、前記利用者指定情報取得手段により取得された利用者指定情報と、前記利用者を識別する識別情報について前記管理手段により管理される利用者指定情報の履歴との比較に基づいて前記処理対象の情報を選択する
ことを特徴とする請求項１又は２に記載の情報処理システム。
【請求項４】
前記選択手段は、前記利用者指定情報取得手段により取得された利用者指定情報のうち、前記管理手段により管理される利用者指定情報の履歴から差がある利用者指定情報を前記処理対象の情報として選択する
ことを特徴とする請求項３に記載の情報処理システム。
【請求項５】
前記管理手段は、管理する利用者指定情報毎に処理が行われたか否かをさらに管理し、
前記選択手段は、前記利用者指定情報取得手段により取得された利用者指定情報のうち処理が行われていない利用者指定情報を前記処理対象の情報として選択する
ことを特徴とする請求項３に記載の情報処理システム。
【請求項６】
前記利用者指定情報は、日時情報をさらに含み、
前記選択手段は、前記利用者指定情報取得手段により取得された利用者指定情報に含まれる日時情報に基づいて前記処理対象の情報を選択する
ことを特徴とする請求項１乃至５のいずれかに記載の情報処理システム。
【請求項７】
前記選択手段は、前記利用者指定情報取得手段により取得された利用者指定情報のうち、当該利用者指定情報に含まれる日時情報が基準の日時に対して予め定められた期間内にある利用者指定情報を前記処理対象の情報として選択する
ことを特徴とする請求項６に記載の情報処理システム。
【請求項８】
前記選択手段は、前記利用者指定情報取得手段により取得された利用者指定情報のうち、日時情報の間隔が予め定められた値を下回る利用者指定情報を前記処理対象の情報として選択する
ことを特徴とする請求項６に記載の情報処理システム。
【請求項９】
前記情報取得手段により取得された情報の少なくとも一部に基づいて印刷情報を生成する生成手段と、
前記生成手段により生成された印刷情報に基づいて印刷する印刷手段と、をさらに含み、
前記提供手段は、前記印刷手段による印刷結果を前記利用者に提供する
ことを特徴とする請求項２に記載の情報処理システム。
【請求項１０】
特定情報により特定される情報を通信手段を介して参照する参照手段と、前記参照手段により参照した情報のうち利用者により指定された情報の前記特定情報を含む利用者指定情報を保存する保存手段と、を含む利用者装置に保存された利用者指定情報を取得する利用者指定情報取得手段と、
前記利用者指定情報取得手段により取得された利用者指定情報の中から処理対象の情報を予め定められた基準で選択する選択手段と、
前記選択手段により選択された利用者指定情報に含まれる前記特定情報により特定される情報の少なくとも一部を処理した処理結果を、前記利用者に提供する提供手段と、を含む
ことを特徴とする情報処理装置。
【請求項１１】
特定手段により特定される情報を通信手段を介して参照する参照手段と、前記参照手段により参照した情報のうち利用者により指定された情報の前記特定情報を含む利用者指定情報を保存する保存手段と、を含む利用者装置に保存された利用者指定情報を取得する利用者指定情報取得手段と、
前記利用者指定情報取得手段により取得された利用者指定情報の中から処理対象の情報を予め定められた基準で選択する選択手段と、
前記選択手段により選択された利用者指定情報に含まれる前記特定情報により特定される情報の少なくとも一部を処理した処理結果を、前記利用者に提供する提供手段としてコンピュータを機能させることを特徴とするプログラム。
【発明の詳細な説明】
【技術分野】
【０００１】
本発明は、情報処理システム、情報処理装置及びプログラムに関する。
【背景技術】
【０００２】
携帯端末からプリンタに保存したＵＲＬを送信して、プリンタが当該送信されたＵＲＬのウェブサイトの情報を取得して印刷することが特許文献１により知られている。
【特許文献１】特開２００３―３４５５７９号公報
【発明の開示】
【発明が解決しようとする課題】
【０００３】
本発明は、取得した利用者指定情報から処理対象の情報を予め定められた基準で選択しないものと比較して、より絞り込まれた情報について利用者が処理結果の提供を受けることのできる情報処理システム、情報処理装置及びプログラムを提供することにある。
【課題を解決するための手段】
【０００４】
上記目的を達成するために、請求項１に記載の情報処理システムの発明は、特定情報によって特定され情報提供装置により提供される情報を通信手段を介して参照する参照手段と、前記参照手段により参照した情報のうち利用者により指定された情報の前記特定情報を含む利用者指定情報を保存する保存手段と、を含む利用者装置と、前記保存手段に保存された利用者指定情報を取得する利用者指定情報取得手段と、前記利用者指定情報取得手段により取得された利用者指定情報の中から処理対象の情報を予め定められた基準で選択する選択手段と、前記選択手段により選択された利用者指定情報に含まれる前記特定情報により特定される情報の少なくとも一部を処理した処理結果を、前記利用者に提供する提供手段と、を含むことを特徴とする。
【０００５】
また、請求項２に記載の発明は、請求項１に記載の情報処理システムにおいて、前記選択手段により選択された利用者指定情報に含まれる前記特定情報により特定される情報を取得する情報取得手段と、前記選択手段により選択された処理対象の情報の一覧を、前記情報取得手段により取得された情報に基づいて前記利用者に提示する提示手段と、前記提示手段により提示された処理対象の情報の一覧の中から前記利用者により選択された情報を処理する処理手段と、をさらに含み、前記提供手段は、前記処理手段による処理結果を前記利用者に提供することを特徴とする。
【０００６】
また、請求項３に記載の発明は、請求項１又は２に記載の情報処理システムにおいて、利用者装置の利用者を識別する識別情報毎に、当該利用者装置から取得された利用者指定情報の履歴を管理する管理手段をさらに含み、前記選択手段は、前記利用者指定情報取得手段により取得された利用者指定情報と、前記利用者を識別する識別情報について前記管理手段により管理される利用者指定情報の履歴との比較に基づいて前記処理対象の情報を選択することを特徴とする。
【０００７】
また、請求項４に記載の発明は、請求項３に記載の情報処理システムにおいて、前記選択手段は、前記利用者指定情報取得手段により取得された利用者指定情報のうち、前記管理手段により管理される利用者指定情報の履歴から差がある利用者指定情報を前記処理対象の情報として選択することを特徴とする。
【０００８】
また、請求項５に記載の発明は、請求項３に記載の情報処理システムにおいて、前記管理手段は、管理する利用者指定情報毎に処理が行われたか否かをさらに管理し、前記選択手段は、前記利用者指定情報取得手段により取得された利用者指定情報のうち処理が行われていない利用者指定情報を前記処理対象の情報として選択することを特徴とする。
【０００９】
また、請求項６に記載の発明は、請求項１乃至５のいずれかに記載の情報処理システムにおいて、前記利用者指定情報は、日時情報をさらに含み、前記選択手段は、前記利用者指定情報取得手段により取得された利用者指定情報に含まれる日時情報に基づいて前記処理対象の情報を選択することを特徴とする。
【００１０】
また、請求項７に記載の発明は、請求項６に記載の情報処理システムにおいて、前記選択手段は、前記利用者指定情報取得手段により取得された利用者指定情報のうち、当該利用者指定情報に含まれる日時情報が基準の日時に対して予め定められた期間内にある利用者指定情報を前記処理対象の情報として選択することを特徴とする。
【００１１】
また、請求項８に記載の発明は、請求項６に記載の情報処理システムにおいて、前記選択手段は、前記利用者指定情報取得手段により取得された利用者指定情報のうち、日時情報の間隔が予め定められた値を下回る利用者指定情報を前記処理対象の情報として選択することを特徴とする。
【００１２】
また、請求項９に記載の発明は、請求項２に記載の情報処理システムにおいて、前記情報取得手段により取得された情報の少なくとも一部に基づいて印刷情報を生成する生成手段と、前記生成手段により生成された印刷情報に基づいて印刷する印刷手段と、をさらに含み、前記提供手段は、前記印刷手段による印刷結果を前記利用者に提供することを特徴とする。
【００１３】
また、請求項１０に記載の情報処理装置の発明は、特定情報により特定される情報を通信手段を介して参照する参照手段と、前記参照手段により参照した情報のうち利用者により指定された情報の前記特定情報を含む利用者指定情報を保存する保存手段と、を含む利用者装置に保存された利用者指定情報を取得する利用者指定情報取得手段と、前記利用者指定情報取得手段により取得された利用者指定情報の中から処理対象の情報を予め定められた基準で選択する選択手段と、前記選択手段により選択された利用者指定情報に含まれる前記特定情報により特定される情報の少なくとも一部を処理した処理結果を、前記利用者に提供する提供手段と、を含むことを特徴とする。
【００１４】
また、請求項１１に記載のプログラムの発明は、特定手段により特定される情報を通信手段を介して参照する参照手段と、前記参照手段により参照した情報のうち利用者により指定された情報の前記特定情報を含む利用者指定情報を保存する保存手段と、を含む利用者装置に保存された利用者指定情報を取得する利用者指定情報取得手段と、前記利用者指定情報取得手段により取得された利用者指定情報の中から処理対象の情報を予め定められた基準で選択する選択手段と、前記選択手段により選択された利用者指定情報に含まれる前記特定情報により特定される情報の少なくとも一部を処理した処理結果を、前記利用者に提供する提供手段としてコンピュータを機能させることを特徴とする。
【発明の効果】
【００１５】
請求項１，１０，及び１１に記載の発明によれば、取得した利用者指定情報から処理対象の情報を予め定められた基準で選択しないものと比較して、絞り込まれた情報について利用者が処理結果の提供を受けることができる。
【００１６】
請求項２に記載の発明によれば、取得した利用者指定情報から処理対象の情報を予め定められた基準で選択しないものと比較して、利用者の情報選択の利便性が向上する。
【００１７】
請求項３に記載の発明によれば、利用者毎に管理される履歴情報に基づいて処理対象の情報を選択することができる。
【００１８】
請求項４に記載の発明によれば、利用者は利用者装置に保存した情報のうち、履歴に対して新規追加や更新があった情報について処理結果の提供を受けることができる。
【００１９】
請求項５に記載の発明によれば、利用者は未処理の情報について処理結果の提供を受けることができる。
【００２０】
請求項６に記載の発明によれば、利用者は利用者指定情報に含まれる日時情報に基づいて選択された情報について処理結果の提供を受けることができる。
【００２１】
請求項７に記載の発明によれば、利用者は基準の日時に基づいて選択された情報について処理結果の提供を受けることができる。
【００２２】
請求項８に記載の発明によれば、利用者は一連の利用者指定情報について処理結果の提供を受けることができる。
【００２３】
請求項９に記載の発明によれば、利用者は利用者装置に保存された情報のうち選択された情報を印刷した印刷結果の提供を受けることができる。
【発明を実施するための最良の形態】
【００２４】
以下、本発明を実施するための好適な実施の形態（以下、実施形態という）を、図面に従って説明する。
【００２５】
図１には、本実施形態に係る情報処理システム１０のシステム構成図を示す。図１に示されるように、本実施形態に係る情報処理システム１０は、携帯端末１００と、プリンタ（画像形成装置）２００と、管理サーバ３００とを含み、各装置はそれぞれインターネット等のネットワーク４００にアクセスするものである。
【００２６】
本実施形態においては携帯端末１００は携帯電話機とし、図示しない基地局装置と無線通信を行いネットワーク４００上に存在するウェブページにアクセスするとともに、携帯端末１００の利用者の指示に応じてアクセスしたウェブページのうち印刷対象とするウェブページのＵＲＬをブックマーク情報として保存する。
【００２７】
管理サーバ３００は、携帯端末１００に保存されたブックマーク情報を取得し、取得したブックマーク情報の中から選択した情報についてウェブページの画像を取得するとともに、当該取得したウェブページの画像をリスト表示するリスト情報をプリンタ２００（又は携帯端末１００）に送信する。管理サーバ３００は、上記ブックマーク情報の選択にあたり、携帯端末１００から取得したブックマーク情報の履歴を用いることとしてよい。
【００２８】
プリンタ２００は、管理サーバ３００から受信したリスト情報に基づいてリストを表示し、表示されたリストから利用者により選択された印刷対象を管理サーバ３００に送信する。管理サーバ３００は、プリンタ２００から受信した印刷対象についての印刷データを生成し、生成した印刷データをプリンタ２００に送信する。プリンタ２００は、管理サーバ３００から受信した印刷データに基づいて印刷処理を実行する。以下、上記処理を実現するために、情報処理システム１０に含まれる各装置に備えられた機能の詳細を説明する。
【００２９】
図２には、本実施形態に係る情報処理システム１０に含まれる各装置の機能ブロック図を示す。以下、各装置に備えられた機能の詳細について説明する。
【００３０】
まず、携帯端末１００に備えられた機能について説明する。図２に示されるように、携帯端末１００は、制御部１０２、入力部１０４、表示部１０６、通信部１０８、情報保存部１１０、及びＩＣタグ１１２を含み構成される。以下、各部の詳細について説明する。
【００３１】
制御部１０２は、中央処理装置（ＣＰＵ）を含み構成され、携帯端末１００の各部を制御すると共に、各種のデータの入出力、及びデータの演算等を実行するものである。
【００３２】
入力部１０４は、携帯端末１００に備えられた入力ボタン又はタッチパネル等の入力デバイスを含み構成され、当該入力デバイスを介して利用者からの情報入力を受け付けるものである。
【００３３】
表示部１０６は、携帯端末１００に備えられた液晶ディスプレイなどの表示デバイスにより構成されるものであり、携帯端末１００の操作画面やアクセスしたウェブページの画像等を表示するものである。
【００３４】
通信部１０８は、外部装置とデータ通信を行うものであり、本実施形態では基地局装置と通信を行う際の移動体無線通信、及びプリンタ２００等の周辺機器や他の携帯端末１００と通信を行う際に用いられる赤外線通信等の近距離通信をサポートするものとしてよい。なお、携帯端末１００は、インターネット上のウェブサイトや管理サーバ３００に対しては、移動体無線通信により基地局装置を中継して通信を行うものである。
【００３５】
情報保存部１１０は、半導体メモリ等の記憶デバイスを含み構成され、印刷処理の対象とするウェブページのＵＲＬを含むブックマーク情報を保存するものである。本実施形態に係る携帯端末１００では、通信部１０８によりアクセスしたインターネット上のウェブページを、入力部１０４によりＵＲＬの入力やハイパーリンクの選択等の操作入力に応じて選択して、情報保存部１１０にブックマーク情報として保存することとしてよい。
【００３６】
図３には、情報保存部１１０に保存されるブックマーク情報の一例を示す。図３に示されるように、ブックマーク情報は、ＵＲＬ、登録日、最終アクセス日の各項目を関連づけたレコードを１又は複数含み構成されるものである。なお、ＵＲＬ（Ｕｎｉｆｏｒｍ  Ｒｅｓｏｕｒｃｅ  Ｌｏｃａｔｏｒ）はネットワークにおけるデータの存在場所を示す情報であり、登録日はブックマークが登録された日時情報であり、最終アクセス日はブックマークされたＵＲＬに携帯端末１００がアクセスした最終の日時情報である。
【００３７】
ＩＣタグ１１２は、携帯端末１００に内蔵された非接触ＩＣタグにより構成されることとしてよく、携帯端末１００の利用者の識別情報、及び公開鍵暗号方式の鍵情報等の認証情報を格納するものである。識別情報は、携帯端末１００の識別情報としてもよいし、ＩＣタグ１１２の識別情報としても構わない。ＩＣタグ１１２は、例えばプリンタ２００や管理サーバ３００との認証処理を行う際に用いられる。
【００３８】
次に、プリンタ２００に備えられた機能について説明する。図２に示されるように、プリンタ２００は、制御部２０２、操作パネル部２０４、通信部２０６、画像形成部２０８、及びＩＣタグ読取部２１０を含む。以下、各部の詳細について説明する。
【００３９】
制御部２０２は、中央処理装置（ＣＰＵ）を含み構成され、プリンタ２００の各部を制御すると共に、各種のデータの入出力、及びデータの演算等を実行するものである。
【００４０】
操作パネル部２０４は、液晶ディスプレイ等の表示デバイスと、入力ボタン等の入力デバイスを含み構成され、利用者との入出力インターフェースとして機能するものである。
【００４１】
通信部２０６は、外部装置とデータ通信を行うものであり、本実施形態では管理サーバ３００と通信する際に用いられるデータ通信プロトコルや、携帯端末１００等と通信を行う際に用いられる赤外線通信等の近距離通信をサポートするものとしてよい。
【００４２】
画像形成部２０８は、印刷データに基づいて印刷用紙に画像を形成して印刷を行うものであり、本実施形態では、管理サーバ３００から送信された印刷データに基づいて印刷処理を行うものである。印刷データは、ページ記述言語形式であってもよいし、ラスタライズ後のビットマップ形式であってもよい。
【００４３】
ＩＣタグ読取部２１０は、プリンタ２００に内蔵された非接触ＩＣタグを読み取るＩＣタグリーダにより構成されることとしてよく、携帯端末１００に備えられたＩＣタグ１１２に格納された識別情報や認証情報等を読み取るものである。本実施形態では、プリンタ２００は、ＩＣタグ読取部２１０により読み取った識別情報、及び認証情報等を通信部２０６により管理サーバ３００に送信して利用者の認証処理を中継する。
【００４４】
次に、管理サーバ３００に備えられた機能について説明する。図２に示されるように、管理サーバ３００は制御部３０２、通信部３０４、認証部３０６、利用者指定情報取得部３０８、履歴情報管理部３１０、処理対象選択部３１２、処理対象情報取得部３１４、リスト情報生成部３１６、及び印刷データ生成部３１８を含む。以下、各部の詳細について説明する。
【００４５】
制御部３０２は、中央処理装置（ＣＰＵ）を含み構成され、管理サーバ３００の各部を制御すると共に、各種のデータの入出力、及びデータの演算等を実行するものである。
【００４６】
通信部３０４は、外部装置とデータ通信を行うものであり、本実施形態では携帯端末１００やプリンタ２００と通信する際に用いられるデータ通信プロトコルをサポートするものとしてよい。
【００４７】
認証部３０６は、プリンタ２００から送信される利用者の認証情報に基づいて認証処理を行うものであり、認証処理には公開鍵暗号方式の認証を用いることとしてよい。認証部３０６により利用者が認証されなかった場合には、この時点でエラーとなりその後の処理が中止される。
【００４８】
利用者指定情報取得部３０８は、認証部３０６により利用者が認証された場合に、携帯端末１００の情報保存部１１０に保存されたブックマーク情報を取得するものである。利用者指定情報取得部３０８は、上記のブックマークの取得に当たり、携帯端末１００から直接ブックマーク情報を取得してもよいし、プリンタ２００を介してブックマーク情報を取得することとしてもよい。例えばプリンタ２００と携帯端末１００間のブックマーク情報のデータ転送には、赤外線通信を用いることとしてもよい。
【００４９】
履歴情報管理部３１０は、利用者指定情報取得部３０８により取得されたブックマーク情報及びその履歴を、利用者のＩＤ（携帯端末１００やＩＣタグ１１２のＩＤとしてもよい）毎に管理するものである。
【００５０】
図４には、履歴情報管理部３１０により管理される管理テーブルの一例を示す。図４に示されるように、管理テーブルは、利用者のＩＤ（ＵＩＤ）、ＵＲＬ、登録日、最終アクセス日、印刷フラグの各項目を関連づけたレコードを１又は複数含み構成される。印刷フラグは、そのレコードに関して印刷処理が実行されたか否かを示す真偽値であり、「Ｔ」は印刷処理が行われたことを、「Ｆ」は未だ印刷処理が行われていないことを示す。
【００５１】
処理対象選択部３１２は、利用者指定情報取得部３０８により取得されたブックマーク情報に含まれる情報の中から、予め定められた条件に基づいて処理対象を選択するものである。以下、本実施形態に係る処理対象選択部３１２により用いられる処理対象の選択基準（第１乃至第４の選択基準）を例示して説明する。
【００５２】
まず、第１の選択基準は、利用者指定情報取得部３０８により取得されたブックマーク情報に含まれる情報のうち、履歴情報管理部３１０により管理される情報と差のある、すなわち新規又は更新された情報を処理対象として選択するというものである。上記第１の選択基準において、「新規」とはＵＲＬが履歴のものとは異なることを表し、「更新」とはＵＲＬは同じであるが登録日、最終アクセス日等が異なることを表すこととしてよい。
【００５３】
第２の選択基準は、利用者指定情報取得部３０８により取得されたブックマーク情報に含まれる情報のうち、未だ印刷処理が実行されていないもの、すなわち履歴情報管理部３１０により「印刷フラグ」が「Ｆ」と管理されているものを処理対象として選択するというものである。
【００５４】
第３の選択基準は、利用者指定情報取得部３０８により取得されたブックマーク情報に含まれる情報のうち、日時情報が基準の日時から予め定められた期間内にあるものを処理対象として選択するというものである。基準の日時とは、例えば現在日時としてもよいし、ブックマーク情報に含まれる日時情報のうち最新の日時としてもよい。
【００５５】
第４の選択基準は、利用者指定情報取得部３０８により取得されたブックマーク情報に含まれる情報を日時情報に基づいて時系列に並べた場合に、日時間の間隔が予め定められた期間を超える場合にその前までの情報を処理対象として選択するというものである。第４の選択基準では、短い期間内に登録されたブックマーク情報は利用者が一連のウェブブラウジングにより登録したものである可能性が高いため、これらをひとまとまりの処理対象として選択することとしている。
【００５６】
以上、処理対象選択部３１２により用いられる処理対象の選択基準を例示したが、処理対象選択部３１２はこれらの選択基準を組み合わせて処理対象を選択してもよいし、これら以外の選択基準を用いることとしても構わない。
【００５７】
処理対象情報取得部３１４は、処理対象選択部３１２により選択された情報に基づいて、ネットワーク４００から処理対象の情報を取得するものである。本実施形態では、処理対象情報取得部３１４は、処理対象選択部３１２により選択されたＵＲＬに基づいて、ネットワーク４００からウェブページのＨＴＭＬデータをダウンロードして取得するものである。選択されたＵＲＬが複数ある場合には、各ＵＲＬのウェブページのＨＴＭＬデータを取得することとする。
【００５８】
リスト情報生成部３１６は、処理対象情報取得部３１４により取得された処理対象の情報に基づいて、処理対象選択部３１２により選択された情報のリストを生成する。本実施形態では、リスト情報生成部３１６は、処理対象選択部３１２により選択されたＵＲＬにアクセスして取得されたウェブページのサムネイル画像を生成し、生成したサムネイル画像を一覧表示するリスト情報を生成する。
【００５９】
リスト情報生成部３１６により生成されたリスト情報は、携帯端末１００又はプリンタ２００に送信され各装置において表示される。例えば、リスト情報が携帯端末１００に送信された場合には、携帯端末１００の表示部１０６にサムネイル画像の一覧が表示され、当該表示された一覧の中から利用者により選択された情報が印刷対象として管理サーバ３００に送信される。また、リスト情報がプリンタ２００に送信された場合には、プリンタ２００の操作パネル部２０４にサムネイル画像の一覧が表示され、当該表示された一覧の中から利用者により選択された情報が印刷対象として管理サーバ３００に送信される。
【００６０】
印刷データ生成部３１８は、印刷対象として選択された情報について、当該情報について処理対象情報取得部３１４により取得されたウェブページデータに基づいて印刷データを生成する。印刷データの形式は、プリンタ２００に応じた形式に生成することとしてよい。印刷データ生成部３１８により生成された印刷データは、プリンタ２００に送信され、プリンタ２００では上記送信された印刷データに基づいて印刷処理が実行される。本実施形態に係る情報処理システム１０では、以上のように携帯端末１００、プリンタ２００、管理サーバ３００が協働することにより、携帯端末１００に保存したブックマーク情報に基づいた印刷処理結果が利用者に提供される。
【００６１】
次に、図５に示したシーケンス図を参照しながら、本実施形態に係る情報処理システム１０の各装置により行われる処理の流れを説明する。
【００６２】
携帯端末１００は、インターネット上のウェブページにアクセスし（Ｓ１）、利用者の指示に応じて印刷対象のウェブページをブックマークして保存する（Ｓ２）。ウェブページのブックマーク保存後に利用者が携帯端末１００をプリンタ２００に備えられたＩＣタグリーダにかざすことで、プリンタ２００は、携帯端末１００のＩＣタグ１１２に格納された認証情報を読み取る（Ｓ３）。プリンタ２００は、上記読み取った認証情報を管理サーバ３００に送信し（Ｓ４）、管理サーバ３００では送信された情報に基づいて認証処理を実行する（Ｓ５）。ここで、管理サーバ３００により利用者が認証されると、携帯端末１００に保存されるブックマーク情報が管理サーバ３００にアップロードされる（Ｓ６）。ブックマーク情報のアップロードは、プリンタ２００を経由して行ってもよいし、プリンタ２００を経由せずに管理サーバ３００に転送してもよい。ブックマーク情報をプリンタ２００を経由せずに管理サーバ３００に転送する場合は、携帯端末１００はブックマーク情報を認証情報と共に送信することとする。また、この場合には、プリンタ２００に備えられたＩＣタグリーダを利用した認証の前に転送してもよく、管理サーバ３００は転送されたブックマーク情報を認証情報と共に一時保存しておき、プリンタ２００から送信されてきた認証情報に基づく認証の後で、当該認証された認証情報に対応するブックマーク情報を一時保存しておいた中から取得することとしてよい。
【００６３】
管理サーバ３００は、携帯端末１００のブックマーク情報を取得すると、取得したブックマーク情報に含まれる情報の中から予め定められた条件を満たす情報を処理対象に選択する（Ｓ７）。管理サーバ３００は、選択した処理対象のブックマークに含まれるＵＲＬにアクセスして（Ｓ８）、ウェブページのＨＴＭＬデータを取得する（Ｓ９）。そして、管理サーバ３００は、取得したウェブページのＨＴＭＬデータに基づいて選択した各ブックマークのサムネイル画像をリスト表示するリスト情報を生成して（Ｓ１０）、プリンタ２００（又は／及び携帯端末１００）に送信する（Ｓ１１）。
【００６４】
プリンタ２００では、管理サーバ３００から受信したリスト情報に従ってサムネイル画像の一覧を表示し（Ｓ１２）、表示した一覧の中から利用者により選択されたブックマークを管理サーバ３００に送信する（Ｓ１３）。管理サーバ３００は、送信されたブックマークについて、先に取得されたウェブページデータに基づいて印刷データを生成し（Ｓ１４）、プリンタ２００に送信する（Ｓ１５）。プリンタ２００は、管理サーバ３００から送信された印刷データに基づいて印刷処理を実行する（Ｓ１６）。
【００６５】
本発明は上述した実施形態に限定されるものではない。例えば、上記の実施形態では、携帯端末１００に保存されたブックマーク情報に基づいて印刷処理を実行することとしたが、実行される処理は印刷処理に限らず、ウェブページ画像のＦＡＸ送信やウェブページの翻訳処理等の多様な処理を実行することとしてよい。
【００６６】
また、上記の実施形態では、プリンタ２００と管理サーバ３００とに備えられた機能を別体の装置に実装したが、各装置に備えられた機能を１つの筐体に実装しても構わないし、各装置の一部の機能をさらに別筐体の他の装置に持たせることとしても構わない。
【００６７】
さらに、携帯端末１００においてブックマークを保存するフォルダは複数あることとしてよく、そのうちの一部を印刷対象のブックマークを保存する専用のフォルダとしてもよいし、管理サーバ３００にブックマーク情報をアップロードする際にブックマークを保存したフォルダを選択するようにしても構わない。
【００６８】
なお、携帯端末１００、プリンタ２００、管理サーバ３００に備えられた各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてよい。なお、プログラムは情報記憶媒体によってコンピュータたる各装置に供給されることとしてもよいし、インターネット等のデータ通信ネットワークを介して供給されることとしてもよい。
【図面の簡単な説明】
【００６９】
【図１】本実施形態に係る情報処理システムのシステム構成図である。
【図２】情報処理システムに含まれる各装置の機能ブロック図である。
【図３】ブックマーク情報の一例を示す図である。
【図４】管理テーブルの一例を示す図である。
【図５】情報処理システムのシーケンス図である。
【符号の説明】
【００７０】
１０  情報処理システム、１００  携帯端末、１０２  制御部、１０４  入力部、１０６  表示部、１０８  通信部、１１０  情報保存部、１１２  ＩＣタグ、２００  プリンタ、２０２  制御部、２０４  操作パネル部、２０６  通信部、２０８  画像形成部、２１０  ＩＣタグ読取部、３００  管理サーバ、３０２  制御部、３０４  通信部、３０６  認証部、３０８  利用者指定情報取得部、３１０  履歴情報管理部、３１２  処理対象選択部、３１４  処理対象情報取得部、３１６  リスト情報生成部、３１８  印刷データ生成部、４００  ネットワーク。
【図１】
2010134795.tif 000003
【図２】
2010134795.tif 000004
【図３】
2010134795.tif 000005
【図４】
2010134795.tif 000006
【図５】
2010134795.tif 000007